(57)【要約】      （修正有）【課題】簡易且つ迅速に装着でき、快適に使用できる尿取りパッドを提供する。【解決手段】この尿取りパッド１は、シート状の吸収性部材と、吸収性部材の一方の面に貼り付けられた液不透過性部材からなるバックシートと、を備え、吸収性部材の長手方向の端部近傍において該長手方向に延出するように凸状の少なくとも２本の漏れ防止部２ａ，２ｂを設ける。【選択図】図１
0003183124.tif 000002
【実用新案登録請求の範囲】
【請求項１】
シート状の吸収性部材と、
上記吸収性部材の一方の面に貼り付けられた液不透過性部材からなるバックシートと、
を備え、
上記吸収性部材の長手方向の端部近傍において該長手方向に延出するように凸状の少なくとも２本の漏れ防止部を設けたこと
を特徴とする尿取りパッド。
【請求項２】
上記吸収性部材の他方の面には液透過性部材からなるトップシートが貼り付けられていること
を特徴とする請求項１に記載の尿取りパッド。
【請求項３】
上記バックシートの中央より前面側の領域には、所定長の粘着テープが設けられていること
を特徴とする請求項１に記載の尿取りパッド。
【請求項４】
上記バックシートの長手方向に延びた両端の略中央部分に所定長だけ糸ゴム入りのギャザーが設けられていること
を特徴とする請求項１に記載の尿取りパッド。
【請求項５】
上記漏れ防止部はその平面形状が長方形であること
を特徴とする請求項１乃至４のいずれかに記載の尿取りパッド。
【請求項６】
上記漏れ防止部は２本であり、各平面形状が、延出された２本の漏れ防止部の内側で対向する辺が曲線となり、外側の辺が直線となっていること
を特徴とする請求項１乃至４のいずれかに記載の尿取りパッド
【請求項７】
上記漏れ防止部は２本であり、各平面形状が、外側の辺が直線であり、内側の辺が、中央部において一の漏れ防止部と他の漏れ防止部との間隔が一番大きく、中央部からそれぞれ先端部、後端部にゆくにつれて徐々に当該間隔が狭くなっていくような曲線となっていること
を特徴とする請求項１乃至４のいずれかに記載の尿取りパッド。
【請求項８】
上記漏れ防止部は、他の部材と色が変えられていること
を特徴とする請求項１乃至７のいずれかに記載の尿取りパッド。
【請求項９】
上記漏れ防止部は、所定の厚みを有すること
を特徴とする請求項１乃至８のいずれかに記載の尿取りパッド。
【請求項１０】
シート状の吸収性部材と、
上記吸収性部材の一方の面に貼り付けられた液不透過性部材からなるバックシートと、
上記吸収性部材の他方の面に貼り付けられた液透過性部材からなるトップシートと、
を備え、
上記吸収性部材の長手方向の端部近傍において、該長手方向に延出するように、凸状の所定の厚みを有する２本の漏れ防止部が設けられており、
上記２本の漏れ防止部は併設されており、各平面形状が、外側の辺が直線であり、内側の辺が、中央部において一の漏れ防止部と他の漏れ防止部との間隔が一番大きく、中央部からそれぞれ先端部、後端部にゆくにつれて徐々に当該間隔が狭くなっていくような曲線となっており、上記トップシートのうち、上記漏れ防止部を被覆する部分には着色がなされていること
を特徴とする尿取りパッド。
【考案の詳細な説明】
【技術分野】
【０００１】
本考案は、例えば紙おむつ等の中に重ねて装着する尿取りパッドに関する。
【背景技術】
【０００２】
従来、成人用の使い捨ておむつと併せて、尿取りパッドが広く使われている。このような尿取りパッドは、尿を効率良く吸収することができ、排尿の度に当該尿取りパッドだけを交換すればよいので、経済的負担を軽減することができ、しかも衛生状態を保つことができる。
【０００３】
ここで、例えば、特許文献１では、両側部に撥水性サイドシートにより表面側に起立するギャザーが形成された尿取りパッドが開示されている。
【先行技術文献】
【特許文献】
【０００４】
【特許文献１】実用新案登録第３０７８４５５号公報
【考案の概要】
【考案が解決しようとする課題】
【０００５】
しかしながら、特許文献１に開示された尿取りパッドでは、撥水性サイドシートが表面側に起立するような構成となっているため、構成が複雑であり、サイドシート自体には吸水性がないことから、十分に横漏れを防止することができず、装着者に快適な使用感を与えることが十分にできない。
【０００６】
そこで、本考案は上述した技術的な課題に鑑みてなされたもので、簡易且つ迅速に装着することができ、尿漏れを防止することで、装着者に快適な使用感を与える尿取りパッドを提供することを目的とする。
【課題を解決するための手段】
【０００７】
上述したような技術的な課題を解決するため、本考案の一つの態様に係る尿取りパッドは、シート状の吸収性部材と、上記吸収性部材の一方の面に貼り付けられた液不透過性部材からなるバックシートと、を備え、上記吸収性部材の長手方向の端部近傍において該長手方向に延出するように凸状の少なくとも２本の漏れ防止部を設けたことを特徴とする尿取りパッドが提供される。
【０００８】
本考案の他の態様に係る尿取りパッドは、シート状の吸収性部材と、上記吸収性部材の一方の面に貼り付けられた液不透過性部材からなるバックシートと、上記吸収性部材の他方の面に貼り付けられた液透過性部材からなるトップシートと、を備え、上記吸収性部材の長手方向の端部近傍において、該長手方向に延出するように、凸状の所定の厚みを有する２本の漏れ防止部が設けられており、上記２本の漏れ防止部は併設されており、各平面形状が、外側の辺が直線であり、内側の辺が、中央部において一の漏れ防止部と他の漏れ防止部との間隔が一番大きく、中央部からそれぞれ先端部、後端部にゆくにつれて徐々に当該間隔が狭くなっていくような曲線となっており、上記トップシートのうち、上記漏れ防止部を被覆する部分には着色がなされていることを特徴とする。
【考案の効果】
【０００９】
本考案によれば、簡易且つ迅速に装着することができ、尿漏れを防止することで、装着者に快適な使用感を与える尿取りパッドを提供することができる。
【図面の簡単な説明】
【００１０】
【図１】本考案の第１の実施形態に係る尿取りパッドの斜視図である。
【図２】本考案の第１の実施形態に係る尿取りパッドの斜視図である。
【図３】本考案の第１の実施形態に係る尿取りパッドの断面図である。
【図４】本考案の第２の実施形態に係る尿取りパッドの斜視図である。
【図５】本考案の第２の実施形態に係る尿取りパッドの斜視図である。
【図６】本考案の第２の実施形態に係る尿取りパッドの断面図である。
【考案を実施するための形態】
【００１１】
以下、本考案の尿取りパッドに係る好適な実施形態について図面を参照しながら説明する。なお、本考案の尿取りパッドは、以下の記述に限定されるものではなく、本考案の要旨を逸脱しない範囲において、適宜変更可能である。
【００１２】
（第１の実施形態）
図１には本考案の第１の実施形態に係る尿取りパッドの斜視図を示し、図２には当該尿取りパッドを折り畳む状態の斜視図を示し、図３には本考案の第１の実施形態に係る尿取りパッドの一部断面図（図１のＡＡ線断面図）を示し、説明する。
【００１３】
図１乃至図３に示されるように、この実施形態に係る尿取りパッド１は、シート状の吸収性部材２からなり、当該吸収性部材２の一方の面（装着時に内表面に相当）にはトップシート３が、他方の面（装着時に外表面に相当）にはバックシート４が、貼り付けられている。即ち、この尿取りパッド１は、トップシート３、吸収性部材２、バックシート４の積層体からなる。但し、吸収性部材２の単層、或いは吸収性部材２とバックシート４との複層としてもよいことは勿論である。
【００１４】
吸収性部材２の表面（尿取りパッド１の内側）には、その長手方向の両端に沿って延出した平面形状が長方形の２本の凸状の漏れ防止部２ａ，２ｂが設けられている。この漏れ防止部２ａ，２ｂは、吸収性部材２と同じ素材であってよく、成形加工、あるいは別途構成されたものを吸収性部材２に積層する等、種々の方法で吸収性部材２と一体に形成することができる。この例では、漏れ防止部２ａ，２ｂの短手方向の幅は約２ｃｍ、厚さ（高さ）は０．５〜０．７ｍｍであってよいが、これに限定されるものではない。また、漏れ防止部２ａ，２ｂを、他の部位と色を変えて着色してもよい。
【００１５】
吸収性部材２としては、高吸水性ポリマー、親水性シート、フラッフパルプ等を採用することができる。これに加えて、熱融着繊維等の合成繊維を含んだものを用いて型崩れを防止してもよい。また、吸収性部材２は、複層のマット状でもよい。複層の場合、漏れ防止部材２ａ，２ｂが複層のうちの一層であってよい。
【００１６】
トップシート３は、少なくともその一部が液透過性部材により構成されている。液透過性部材としては、不織布、多孔性フィルム等、ポリプロピレン、ポリエチレン、ポリエステル、ナイロン等の熱可塑性樹脂からなる不織布に親水化処理を施したものを用いることができる。漏れ防止部材２ａ，２ｂの被覆面だけ着色してもよい。
【００１７】
そして、バックシート４は、液不透過性部材により構成されている。例えば、ポリエチレン等の樹脂からなる液不透過性フィルム等を採用できる。また、液不透過性フィルムに不織布を貼り付けたフィルムからなるものも採用してもよい。
【００１８】
尿取りパッド１は、その長手方向に延びた両端の略中央部分に所定長だけ糸ゴム入りのギャザー６ａ，６ｂが設けられており、装着感を高めている。尚、尿取りパッド１は、この例では、長手方向に約５０〜６０ｃｍ、短手方向に約３０〜３５ｃｍの略矩形状となっているが、これには限定されないことは勿論である。
【００１９】
尿取りパッド１のバックシート４の中央より前面側の領域には、粘着テープ５が設けられている。この粘着テープ等を用いれば、尿取りパッド１を衣類や紙おむつ等の内側にしっかりと固定することができ、位置ずれを有効に防止することができる。粘着テープ５としては、衣類や紙おむつ等に使用されている公知の粘着テープを採用することができ、使用前には粘着力低下を防止する為に、粘着部分を保護しておいてよい。また、粘着テープ５の数は１つに限定されず複数でもよいことは勿論である。
【００２０】
以上説明したように、本考案の第１の実施形態によれば、シート状の吸収性部材２と該吸収性部材２の一方の面に貼り付けられた液不透過性部材からなるバックシート４とを備え、吸収性部材２の長手方向の端部近傍において該長手方向に延出するように凸状の少なくとも２本の漏れ防止部２ａ，２ｂを設けたことを特徴とする尿取りパッドが提供されることになる。
【００２１】
ここで、吸収性部材２の他方の面には液透過性部材からなるトップシート３が貼り付けられていてよい。バックシート４の中央より前面側の領域には、所定長の粘着テープ５が設けられていてよい。バックシート４の長手方向に延びた両端の略中央部分に所定長だけ糸ゴム入りのギャザー６ａ，６ｂが設けられていてよい。そして、漏れ防止部２ａ，２ｂはその平面形状が長方形であってよい。
【００２２】
従って、本実施形態によれば、漏れ防止部２ａ，２ｂによりサイドからの尿漏れを効果的に防止することが可能となる。
【００２３】
（第２の実施形態）
図４には本考案の第２の実施形態に係る尿取りパッドの斜視図を示し、図５には当該尿取りパッドを折り畳む状態の斜視図を示し、図６には本考案の第２の実施形態に係る尿取りパッドの一部断面図（図４のＢＢ線断面図）を示し、説明する。
【００２４】
図４乃至図６に示されるように、この第２の実施形態に係る尿取りパッド１１は、シート状の吸収性部材１２からなり、当該吸収性部材１２の一方の面（装着時に内表面に相当）にはトップシート１３が、他方の面（装着時に外表面に相当）にはバックシート１４が貼り付けられている。すなわち、この尿取りパッド１１は、トップシート１３、吸収性部材１２、バックシート１４の積層体からなる。但し、吸収性部材１２の単層、或いは吸収性部材１２とバックシート１４との複層としてもよい。
【００２５】
吸収性部材１２の表面には、その長手方向の両端に沿って延出した２本の凸状の漏れ防止部１２ａ，１２ｂが設けられている。この漏れ防止部１２ａ，１２ｂは、吸収性部材１２と同じ素材であってよく、成形加工、あるいは別途構成されたものを吸収性部材１２に積層する等、種々の方法で吸収性部材１２と一体に形成することができる。
【００２６】
漏れ防止部１２ａ，１２ｂは、その平面形状が、２本の漏れ防止部１２ａ，１２ｂの内側で対向する辺が曲線となっており、外側の辺は直線となっている。即ち、２本の対向する漏れ防止部１２ａ，１２ｂは、その内側の辺が、中央部において漏れ防止部１２ａと漏れ防止部１２ｂとの間隔が一番大きく、中央部から先端部、後端部にゆくにつれて徐々に当該間隔が狭くなっていくような曲線となっている。これにより、漏れ防止部１２ａ，１２ｂにより囲まれた領域は、その先端部、後端部において、間隔が狭くなっている。
【００２７】
漏れ防止部１２ａ，１２ｂそれぞれの形状について言及すると、長手方向に延出しており、外側の辺は直線、内側の辺は曲線となっており、中央部において最も幅が狭く、中央から先端部、後端部にゆくにつれて幅が徐々に広くなるような形状とされている。そして内側の角は丸められていてよい。
【００２８】
なお、この例では、漏れ防止部１２ａ，２ｂの短手方向の幅は最も狭いところで約２ｃｍ、最も広いところで約３〜４ｃｍとなっている。厚さ（高さ）は０．５〜０．７ｍｍであってよい。但し、これらに限定されるものではない。また、漏れ防止部を、他の部位と色を変えて着色してもよい。
【００２９】
吸収性部材１２としては、高吸水性ポリマー、親水性シート、フラッフパルプ等を採用することができる。これに加えて、熱融着繊維等の合成繊維を含んだものを用いて型崩れを防止してもよい。また、吸収性部材２は、複層のマット状でもよい。複層の場合、漏れ防止部材１２ａ，１２ｂが複層のうちの一層であってよい。
【００３０】
トップシート１３は、少なくともその一部が液透過性部材により構成されている。液透過性部材としては、不織布、多孔性フィルム等、ポリプロピレン、ポリエチレン、ポリエステル、ナイロン等の熱可塑性樹脂からなる不織布に親水化処理を施したものを用いることができる。トップシート１３の漏れ防止部１２ａ，１２ｂを被覆する部分のみを他と別の色で着色してもよい。
【００３１】
そして、バックシート１４は、液不透過性部材により構成されている。例えば、ポリエチレン等の樹脂からなる液不透過性フィルム等を採用できる。また、液不透過性フィルムに不織布を貼り付けたフィルムからなるものも採用してもよい。
【００３２】
尿取りパッド１１は、その長手方向に延びた両端の略中央部分に所定長だけ糸ゴム入りのギャザー１６ａ，１６ｂが設けられており、装着感を高めている。なお、尿取りパッド１１は、この例では、長手方向に約５０〜６０ｃｍ、短手方向に約３０〜３５ｃｍの略矩形状となっているが、これには限定されないことは勿論である。
【００３３】
尿取りパッド１１のバックシート１４の中央より前面側の領域には、粘着テープ１５が設けられている。この粘着テープ等を用いれば、尿取りパッド１１を衣類や紙おむつ等の内側にしっかりと固定することができ、位置ずれを有効に防止することができる。なお、粘着テープ１５としては、衣類や紙おむつ等に使用されている公知の粘着テープを採用することができ、使用前には粘着力低下を防止する為に粘着部分を保護しておいてよい。また、粘着テープ１５の数は１つに限定されず複数でもよいことは勿論である。
【００３４】
以上説明したように、本考案の第２の実施形態によれば、シート状の吸収性部材１２と吸収性部材１２の一方の面に貼り付けられた液不透過性部材からなるバックシート１４とを備え、吸収性部材１２の長手方向の端部近傍において該長手方向に延出するように凸状の２本の漏れ防止部１２ａ，１２ｂを設けたことを特徴とする尿取りパッドが提供されることになる。この漏れ防止部１２ａ，１２ｂは、その平面形状が、２本の漏れ防止部１２ａ，１２ｂの内側で対向する辺が曲線となり、外側の辺は直線となってよい。
【００３５】
即ち、２本の対向する漏れ防止部１２ａ，１２ｂは、その平面形状が、外側の辺が直線であり、内側の辺が、中央部において漏れ防止部１２ａと漏れ防止部１２ｂとの間隔が一番大きく、中央部から先端部、後端部にゆくにつれて徐々に当該間隔が狭くなっていくような曲線となっていてよい。
【００３６】
つまり、本考案の第２の実施形態によれば、シート状の吸収性部材１２と、上記吸収性部材１２の一方の面に貼り付けられた液不透過性部材からなるバックシート１４と、上記吸収性部材１２の他方の面に貼り付けられた液透過性部材からなるトップシート１３とを備え、上記吸収性部材１２の長手方向の端部近傍において、該長手方向に延出するように、凸状の所定の厚みを有する２本の漏れ防止部１２ａ，１２ｂが設けられており、上記２本の漏れ防止部１２ａ，１２ｂは併設されており、各平面形状が、外側の辺が直線であり、内側の辺が、中央部において一の漏れ防止部と他の漏れ防止部との間隔が一番大きく、中央部からそれぞれ先端部、後端部にゆくにつれて徐々に当該間隔が狭くなっていくような曲線となっており、上記トップシート１３のうち、上記漏れ防止部１２ａ，１２ｂを被覆する部分には着色がなされていることを特徴とする尿取りパッド１１が提供される。
【００３７】
従って、第２の実施形態によれば、漏れ防止部１２ａ，１２ｂにより、再度からの尿漏れを効果的に防止することが可能となる。特に、この第２の実施形態では、漏れ防止部１２ａ，１２ｂの内側の曲線により、尿を包み込むように吸収することが可能となる。
【００３８】
以上、本考案の実施形態について説明したが、本考案はこれに限定されることなく、その主旨を逸脱しない範囲で種々の改良・変更が可能である。漏れ防止部の形状は前述したものには限定されず、種々の形状を採用することができ、例えば内側の辺のみならず外側の辺も曲線となる、全体として所定の曲率で湾曲したような平面形状の漏れ防止部とすることも可能である。また、楕円形状のリング状に漏れ防止部を構成し、サイドのみならずトップ、エンドからも漏れが生じないように工夫することも可能である。
【符号の説明】
【００３９】
１  尿取りパッド
２  吸収性部材
２ａ，２ｂ  漏れ防止部
３  トップシート
４  バックシート
５  粘着テープ
６ａ，６ｂ  ギャザー
１１  尿取りパッド
１２  吸収性部材
１２ａ，２ｂ  漏れ防止部
１３  トップシート
１４  バックシート
１５  粘着テープ
１６ａ，６ｂ  ギャザー
【図１】
0003183124.tif 000003
【図２】
0003183124.tif 000004
【図３】
0003183124.tif 000005
【図４】
0003183124.tif 000006
【図５】
0003183124.tif 000007
【図６】
0003183124.tif 000008